(57)【特許請求の範囲】
【請求項１】
無線基地局によって通信領域が形成される複数の広域セルと、無線基地局によって通信領域が形成される複数の狭域セルを備える移動通信システムで用いられる移動局であって、
前記移動局の通信相手の無線基地局である通信相手基地局の周辺に存在する前記広域セル及び前記狭域セルの識別に用いられるセル識別情報の中から、上限数分のセル識別情報を周辺セル識別情報群として前記通信相手基地局から受信する受信部と、
受信された前記周辺セル識別情報群を記憶する周辺情報記憶部と、
前記周辺セル識別情報群とは別に、移動先となり得る広域セル又は狭域セルである移動先セルの識別に用いられるセル識別情報を記憶する固定情報記憶部と、
前記移動先セルから信号を受信した場合には、前記信号の拡散に用いられたセル識別情報である移動先識別情報を周辺情報記憶部及び前記固定情報記憶部の中から検索する検索部と、
検索された前記移動先識別情報を用いて前記移動先セルとの通信を実行する通信実行部と
を備え、
前記固定情報記憶部は、ユーザーの操作指示により設定された固定スクランブリングコード、または通信ネットワークを介して設定された固定スクランブリングコードを前記セル識別情報として記憶することを特徴とする移動局。
【請求項２】
前記移動局は、ＣＤＭＡ方式の移動通信システムで用いられ、前記セル識別情報は、前記無線基地局のそれぞれに固有のスクランブリングコードであることを特徴とする請求項１に記載の移動局。
【請求項３】
前記検索部は、前記周辺情報記憶部の中から前記移動先識別情報を検索することができるか否か判定し、前記周辺情報記憶部の中から前記移動先識別情報を検索することができない場合には前記固定情報記憶部の中から前記移動先識別情報を検索することができるか否か判定することを特徴とする請求項１に記載の移動局。
【発明の詳細な説明】
【技術分野】
【０００１】
本発明は、無線基地局と複数の移動局との間において同時期に複数の通信が実行される多元接続型の無線通信システムで用いられる移動局に関する。
【背景技術】
【０００２】
無線基地局と複数の移動局との間において、同時期に複数の通信が実行される多元接続型の無線通信システムでは、それぞれの通信に用いられる無線通信路を識別することが必要となる。
【０００３】
例えば、符号分割多元接続方式（ＣＤＭＡ）を用いた無線通信システム（いわゆる第３世代移動体通信システム）では、それぞれの無線通信路は、ランダムな符号系列である拡散コードにより識別される。具体的には、拡散コードには、ユーザーデータの広帯域拡散に用いられるチャネライゼーションコードと、セル間における混信の防止のために用いられるスクランブリングコードとが含まれている。
【０００４】
第３世代移動体通信システム（無線通信システム）の一つであるＷ−ＣＤＭＡでは、５１２種類のスクランブリングコード（下り方向）が規定されている。このようにスクランブリングコードは有限であるため、近隣のセルに同一のスクランブリングコードを割当てないようにしつつ、無線通信システム内において同一のスクランブリングコードが繰り返し割当てられている。
【０００５】
従来、上記無線通信システムの中には、無線基地局（広域対応基地局）によって通信領域が形成される広域セル（マクロセル）と、広域セルよりも小さい狭域セルであり、住宅・オフィスなどの狭小空間領域に備えられた無線基地局によって通信領域が形成される狭域セル（マイクロセル）とを備える無線通信システムが存在する。当該無線通信システムでも、スクランブリングコードにより広域セルと狭域セルとが識別される。
【０００６】
ところで、上記広域対応基地局は、通信相手の移動局に対して、自局の周辺に存在する広域セル及び狭域セルのスクランブリングコードを周辺スクランブリングコード群として送信している。このため、当該移動局は、通信相手の広域対応基地局が形成する広域セルから他のセル（移動先セル）に移動する場合には、既に受信した周辺スクランブリングコード群を参照することにより、移動先セルに割当てられているスクランブリングコードを検索（サーチ処理）し、検索したスクランブリングコードを用いて移動先セルとの通信接続を実現している。
【０００７】
特に、広域対応基地局は、移動局によって実行されるサーチ処理の短縮化を図るために、自局の周辺に存在する広域セル及び狭域セルの“全て”のスクランブリングコードを周辺スクランブリングコード群として送信せずに、当該全てのスクランブリングコードにおける“上限数（例えば、３２個）分”のスクランブリングコードを周辺スクランブリングコード群として送信している。
【特許文献１】特開２００５−８６３７４号公報
【発明の開示】
【発明が解決しようとする課題】
【０００８】
しかしながら、上記広域対応基地局が上記“上限数（例えば、３２個）分”のスクランブリングコードを周辺スクランブリングコード群として移動局に送信する場合には、次のような問題が生じていた。
【０００９】
具体的には、広域対応基地局の周辺に、上記“上限数（例えば、３２個）分”を超えるセル（広域セル，狭域セル）が存在する場合には、当該広域対応基地局は、自局の周辺のセルに割当てられているスクランブリングコードを全て送信することができない。このため、広域対応基地局は、移動局の移動先となり得るセルに割当てられているスクランブリングコードを、周辺スクランブリングコード群に含めることができない場合がある。
【００１０】
この場合には、当該移動局は、受信した周辺スクランブリングコード群を参照しても、移動先となり得るセル（移動先セル）に割当てられているスクランブリングコードを検索することができず、当該移動先セルとの通信接続を実現することができない。
【００１１】
そこで、本発明は以上の点に鑑みて成されたものであり、移動局によって実行されるサーチ処理の短縮化を図りつつ、移動先となり得るセルとの通信接続を確実に実行することができる移動局を提供することを目的とする。
【課題を解決するための手段】
【００１２】
上記課題を解決するために、本発明の第１の特徴は、無線基地局（例えば、広域対応基地局１１０−１）によって通信領域が形成される複数の広域セル（例えば、広域セル１１０−１〜１１０−７）と、無線基地局（例えば、狭域対応基地局１３０−１）によって通信領域が形成される複数の狭域セル（例えば、狭域セル１３５−１〜１３５−ｎ）とを備える移動通信システムで用いられる移動局（例えば、移動局１５０）であって、前記移動局の通信相手の無線基地局である通信相手基地局の周辺に存在する前記広域セル及び前記狭域セルの識別に用いられるセル識別情報の中から、上限数分のセル識別情報を周辺セル識別情報群として前記通信相手基地局から受信する受信部（例えば、受信部１５３）と、受信された前記周辺セル識別情報群を記憶する周辺情報記憶部（例えば、周辺コード記憶部１６０）と、前記周辺セル識別情報群とは別に、移動先となり得る広域セル又は狭域セルである移動先セルの識別に用いられるセル識別情報を記憶する固定情報記憶部（例えば、固定コード記憶部１６１）と、前記移動先セルから信号を受信した場合には、前記信号の拡散に用いられたセル識別情報である移動先識別情報を周辺情報記憶部及び前記固定情報記憶部の中から検索する検索部（例えば、サーチ処理部１６２）と、検索された前記移動先識別情報を用いて前記移動先セルとの通信を実行する通信実行部（例えば、制御部１５６）とを備えることを要旨とする。
【００１３】
かかる特徴によれば、周辺スクランブリングコード群の中に、移動先のセルに割当てられているスクランブリングコードが含まれていなくても、移動局は、将来的に通信相手となり得る移動先のセル（例えば、家庭用基地局によって形成されるセル）のスクランブリングコードを固定的に記憶することにより、当該移動先となり得るセルとの通信接続を確実に実行することができる。
【００１４】
本発明の第２の特徴は、移動局が、ＣＤＭＡ方式の移動通信システムで用いられ、前記セル識別情報が、無線基地局のそれぞれに固有のスクランブリングコードであることを要旨とする。
【００１５】
本発明の第３の特徴は、前記検索部が、前記周辺情報記憶部の中から前記移動先識別情報を検索することができるか否か判定し、前記周辺情報記憶部の中から前記移動先識別情報を検索することができない場合には前記固定情報記憶部の中から前記移動先識別情報を検索することができるか否か判定することを要旨とする。
【発明の効果】
【００１６】
本発明の特徴によれば、移動局によって実行されるサーチ処理の短縮化を図りつつ、移動先となり得るセルとの通信接続を確実に実行することができる。
【発明を実施するための最良の形態】
【００１７】
［第１実施形態］
（無線通信システムの構成）
図１は、本実施形態に係る無線通信システムの概略構成図である。本実施形態に係る無線通信システムでは、ＣＤＭＡが用いられている。無線通信システムは、複数の広域セル１１０−１〜７と、複数の狭域セル１３５−１〜ｎと、移動局１５０とを備える。なお、広域セル、狭域セル及び移動局等の数は、図１に限定されないのは勿論のことである。
【００１８】
広域セル１１０−１〜７のそれぞれは同様の機能を有している。また狭域セル１３５−１〜ｎのそれぞれは同様の機能を有している。このため、以下では説明の便宜上、広域セル１１０−１（以下、広域セル１１０と適宜省略する）及び狭域セル１３５−１（以下、狭域セル１３５と適宜省略する）に注目して説明する。
【００１９】
広域セル１１０は、無線基地局１００−１（以下、広域対応基地局１００と適宜省略する）によって形成される通信領域である。狭域セル１３５は、広域セル１１０よりも狭い通信領域であり、無線基地局１３０−１（以下、狭域対応基地局１３０と適宜省略する）によって形成される通信領域である。例えば、狭域セル１３５は、住宅・オフィスなどの狭小空間領域に備えられた狭域対応基地局１３０によって形成される通信領域である。
【００２０】
移動局１５０は、ＣＤＭＡにしたがって広域対応基地局１００又は狭域対応基地局１３０との無線通信を実行する。
【００２１】
ここで、セル（広域セル，狭域セル）のそれぞれの識別に用いられるセル識別情報には、セル毎に異なる拡散コード、例えば、無線基地局のそれぞれに固有のスクランブリングコード（ＳＣ＃）が含まれている。本実施形態では、スクランブリングコード（ＳＣ＃）を用いるが、これに限定されないのは勿論のことである。
【００２２】
本実施形態に係る広域対応基地局１００は、自局の周辺に存在する広域セル及び狭域セルに割当てられているスクランブリングコードの中から、上限数分のスクランブリングコードを周辺スクランブリングコード群として、通信相手の移動局１５０に送信する。
【００２３】
（移動局の構成）
図２は、本実施形態に係る移動局１５０の内部構成図である。図２に示すように、移動局１５０は、アンテナ１５１と、切替部１５２と、受信部１５３と、逆拡散部１５４と、復調部１５５と、制御部１５６と、変調部１５７と、拡散部１５８と、送信部１５９と、周辺コード記憶部１６０と、固定コード記憶部１６１と、サーチ処理部１６２とを備える。
【００２４】
アンテナ１５１は、所定の無線信号を送受信する。切替部１５２は、制御部１５６からの制御に基づいて、受信部１５３〜復調部１５５の系、及び変調部１５７〜送信部１５９の系のうち、いずれかの系を選択する。
【００２５】
受信部１５３は、アンテナ１５１，切替部１５２を介して、通信相手の無線基地局である通信相手基地局（例えば、無線基地局１００−１）から周辺スクランブリングコード群を受信する。受信部１５３は、受信した周辺スクランブリングコード群を周辺コード記憶部１６０に記憶する。
【００２６】
逆拡散部１５４は、受信部１５３によって受信された信号を、自局が在圏するセルのスクランブリングコードで逆拡散する。復調部１５５は、拡散された信号に対して所定の復調処理を実行する。
【００２７】
制御部１５６は、復調された信号に基づいて所定の信号処理を実行したり、送信すべき信号を変調部１５７に出力したり、又は所望の無線基地局との間で接続処理を実行したりする。
【００２８】
変調部１５７は、制御部１５６から入力された信号に対して所定の変調処理を実行する。拡散部１５８は、変調された信号を、自局が在圏しているセルのスクランブリングコードで拡散する。送信部１５９は、切替部１５２，アンテナ１５１を介して、拡散された信号を所望の無線基地局等に送信する。
【００２９】
周辺コード記憶部１６０は、受信された周辺スクランブリングコード群を記憶する。
【００３０】
固定コード記憶部１６１は、受信された周辺スクランブリングコード群とは別に、移動先となり得る広域セル又は狭域セルである移動先セルに割当てられているスクランブリングコード（固定スクランブリングコード）を記憶する。なお、固定コード記憶部１６１は、ユーザーの操作指示により設定された固定スクランブリングコードを記憶してもよいし、通信ネットワークを介して設定された固定スクランブリングコードを記憶してもよい。
【００３１】
ここで、本実施形態に係るスクランブリングコードは、セルの符号番号により示されている。例えば、広域セル１１０−１〜７のスクランブリングコードは、ＳＣ＃１１０−１〜７に設定されている。同様にして、狭域セル１３５−１〜ｎのスクランブリングコードは、ＳＣ＃１３５−１〜ｎに設定されている。
【００３２】
上記周辺コード記憶部１６０が周辺スクランブリングコード群を記憶するまでの一例を説明する。
【００３３】
例えば、移動局１５０の通信相手が広域対応基地局１００−１である場合を考える。この場合には、広域対応基地局１００−１は、自局の周辺に存在する広域セル１１０−２〜７及び狭域セル１３５−１〜ｎに割当てられているＳＣ＃１１０−２〜７, ＳＣ＃１３５−１〜ｎの中から、上限数（ここでは、３２個）分のＳＣ＃１１０−２〜７, ＳＣ＃１３５−１〜２６を周辺スクランブリングコード群として、移動局１５０に送信する。
【００３４】
そして、図３に示すように周辺コード記憶部１６０は、受信された周辺スクランブリングコード群（ＳＣ＃１１０−２〜７, ＳＣ＃１３５−１〜２６）を記憶する。又、固定コード記憶部１６１は、受信された周辺スクランブリングコード群とは関係なく、固定スクランブリングコード（例えば、ＳＣ＃１３５−ｎ）を記憶する。
【００３５】
サーチ処理部１６２は、現在通信を実行しているセルから他のセル（移動先セル）に移動局１５０が移動したときに、当該移動先セルから受信された信号（共通パイロット信号）に基づいて、当該共通パイロット信号の拡散に用いられたスクランブリングコードである移動先スクランブリングコードを周辺コード記憶部１６０及び固定コード記憶部１６１の中から検索する。なお、サーチ処理部１６２は、検索部を構成する。
【００３６】
具体的には、サーチ処理部１６２は、移動先セルから受信された共通パイロット信号を、周辺コード記憶部１６０及び固定コード記憶部１６１に記憶されている各スクランブリングコードのうちのいずれかで逆拡散する。サーチ処理部１６２は、周辺コード記憶部１６０及び固定コード記憶部１６１に記憶されている各スクランブリングコードの中から、共通パイロット信号を逆拡散した結果の電力値が最大値である場合のスクランブリングコードを移動先スクランブリングコードとして検索する。
【００３７】
なお、サーチ処理部１６２は、周辺コード記憶部１６０の中から移動先スクランブリングコードを検索することができるか否か判定し、周辺コード記憶部１６０の中から移動先スクランブリングコードを検索することができない場合には固定コード記憶部１６１の中から移動先スクランブリングコードを検索することができるか否か判定してもよい。
【００３８】
サーチ処理部１６２が周辺コード記憶部１６０及び固定コード記憶部１６１の中から移動先スクランブリングコードを検索することができた場合には、制御部１５６は、検索された移動先スクランブリングコードを用いて、移動先セルにおける無線基地局との通信接続を実行する。なお、制御部１５６は、通信接続部を構成する。
【００３９】
（移動局の動作）
次に、本実施形態に係る移動局１５０の概略動作について図４を参照しながら説明する。
【００４０】
図４に示すように、Ｓ１０１において、移動局１５０は、通信相手の無線基地局（例えば、無線基地局１００−１）から周辺スクランブリングコード群を受信し、受信した周辺スクランブリングコード群を周辺コード記憶部１６０に記憶する。
【００４１】
Ｓ１０３において、移動局１５０は、現在通信を実行しているセルから他のセル（移動先セル）に移動した場合には、当該移動先セルから受信した共通パイロット信号に基づいて、当該共通パイロット信号の拡散に用いられた移動先スクランブリングコードを周辺コード記憶部１６０及び固定コード記憶部１６１の中から検索する（サーチ処理）。
【００４２】
Ｓ１０５において、移動局１５０は、周辺コード記憶部１６０及び固定コード記憶部１６１の中から移動先スクランブリングコードを検索することができるか否か判定する。
【００４３】
Ｓ１０７において、移動局１５０は、移動先スクランブリングコードを検索することができた場合には、当該移動先スクランブリングコードを用いて移動先セルにおける無線基地局との通線接続を実行する。移動局１５０は、移動先スクランブリングコードを検索することができない場合には、本処理を終了する。
【００４４】
次に、移動局１５０が移動することに伴い、移動局１５０がサーチ処理を実行する一例について図５乃至図７を参照しながら説明する。
【００４５】
図５乃至図７では、狭域セル１３５−１〜ｎを含む広域セル１１０−１と、狭域セル１３５ａ−１〜ｎを含む広域セル１１０−２とを備える無線通信システムが存在することを前提にする。
【００４６】
また、広域セル１１０−１を形成する広域対応基地局１００−１の周辺には広域セル１１０−２〜７及び狭域セル１３５−１〜ｎが存在し、広域セル１１０−２を形成する広域対応基地局１００−２の周辺には広域セル１１０−１，３，７及び狭域セル１３５ａ−１〜ｎが存在することを前提にする。
【００４７】
さらに、固定コード記憶部１６１は、狭域セル１３５−ｎに割当てられているＳＣ＃１３０−ｎを記憶していることを前提にする。なお、狭域セル、広域セル及び移動局等の数は、図５乃至図７に限定されないのは勿論のことである。
【００４８】
図５に示すように、移動局１５０が広域セル１１０−１内に位置する場合には、広域セル１１０−１を形成する広域対応基地局１００−１の周辺には広域セル１１０−２〜７,狭域セル１３５−１〜ｎが存在する。
【００４９】
このため、移動局１５０は、広域対応基地局１００−１の周辺に存在する広域セル１１０−２〜７及び狭域セル１３５−１〜ｎに割当てられているＳＣ＃１１０−２〜７, ＳＣ＃１３５−１〜ｎのうち、上限数（ここでは３２個）分のＳＣ＃１１０−２〜７, ＳＣ＃１３５−１〜２６を周辺スクランブリングコード群として、広域対応基地局１００から受信する。図５に示すように、移動局１５０は、受信した周辺スクランブリングコード群（ＳＣ＃１１０−２〜７, ＳＣ＃１３５−１〜２６）を周辺コード記憶部１６０に記憶する。
【００５０】
そして、図６に示すように、移動局１５０が広域セル１１０−１から広域セル１１０−２に移動した場合を考える。
【００５１】
移動局１５０は、移動先の広域セル１１０−２から共通パイロット信号を受信した場合には、周辺コード記憶部１６０に記憶されている周辺スクランブリングコード群（ＳＣ＃１１０−２〜７, ＳＣ＃１３５−１〜２６（図５参照））の中に、移動先の広域セル１１０−２に割当てられているＳＣ＃１１０−２が含まれているため、当該ＳＣ＃１１０−２を用いて広域セル１１０−２（広域対応基地局１００−２）との通信接続を実行する。
【００５２】
また、移動局１５０は、移動先の広域セル１１０−２（広域対応基地局１００−２）から上限数分のＳＣ＃を受信する。
【００５３】
具体的には、上記広域対応基地局１００−２の周辺には、広域セル１１０−１，３，７及び狭域セル１３５ａ−１〜ｎが存在する。このため、図６に示すように、移動局１５０は、当該広域対応基地局１００−２の周辺に存在する広域セル１１０−１，３，７及び狭域セル１３５ａ−１〜ｎに割当てられているＳＣ＃１１０−１，３，７，ＳＣ＃１３５ａ−１〜ｎのうち、上限数（ここでは３２個）分のＳＣ＃１１０−１，３，７, ＳＣ＃１３５ａ−１〜２９を周辺スクランブリングコード群として、広域対応基地局１００から受信する。移動局１５０は、受信した周辺スクランブリングコード群（ＳＣ＃１１０−１，３，７, ＳＣ＃１３５ａ−１〜２９）を周辺コード記憶部１６０に記憶する。
【００５４】
その後、図７に示すように、移動局１５０が広域セル１１０−２から狭域セル１３５−ｎに移動した場合を考える。
【００５５】
移動局１５０は、移動先の狭域セル１３５−ｎから共通パイロット信号を受信した場合には、周辺コード記憶部１６０に記憶されている周辺スクランブリングコード群（ＳＣ＃１１０−１，３，７, ＳＣ＃１３５ａ−１〜２９（図７参照））の中に、移動先の狭域セル１３５−ｎに割当てられているＳＣ＃１３５−ｎが含まれていないため、固定コード記憶部１６１に当該ＳＣ＃１３５−ｎが記憶されているか否か判定する。
【００５６】
移動局１５０は、固定コード記憶部１６１に当該ＳＣ＃１３５−ｎが記憶されているため、当該ＳＣ＃１３５−ｎを用いて狭域セル１３５−ｎ（狭域対応基地局１３０−ｎ）との通信接続を実行する。
【００５７】
ここで、固定コード記憶部１６１にはＳＣ＃１３５−ｎが記憶されておらず、周辺コード記憶部１６０にはＳＣ＃１１０−１，３，７, ＳＣ＃１３５ａ−１〜２９のみを含む周辺スクランブリングコード群（図７参照）が記憶されている場合を考える。
【００５８】
この場合には、図７に示すように、移動局１５０が広域セル１１０−２から狭域セル１３５−ｎに移動しても、既に受信した周辺スクランブリングコード群にはＳＣ＃１３５−ｎが含まれていない。このため、移動局１５０は、移動先の狭域セル１３５−ｎ（狭域対応基地局１３０−ｎ）との通信接続を実行することができない。
【００５９】
言い替えると、受信した各共通パイロット信号の受信電力レベルのうち、狭域対応基地局１３０−ｎから受信した共通パイロット信号の受信電力レベルが最も大きいにも関わらず、既に受信した周辺スクランブリングコード群（ＳＣ＃１１０−１，３，７, ＳＣ＃１３５ａ−１〜２９）には狭域対応基地局１３０−ｎに割当てられているＳＣ＃１３５−ｎが含まれていない（図７参照）。
【００６０】
このため、移動局１５０は、移動先の狭域対応基地局１３０−ｎから受信した共通パイロット信号を、当該周辺スクランブリングコード群のうちのいずれかで逆拡散しても、逆拡散した結果の電力値が最大値とはなり得ず、当該狭域対応基地局１３０−ｎとの通信接続を実行することができない。
【００６１】
もし、移動局１５０が、周辺スクランブリングコード群（ＳＣ＃１１０−１，３，７, ＳＣ＃１３５ａ−１〜２９）に対応する各無線基地局のうち、狭域対応基地局１３０−ｎの次に広域対応基地局１００−１から近い場合には、移動局１５０は、以下に示すように広域対応基地局１００−１との通信接続を実行することになる。
【００６２】
具体的には、移動局１５０と広域対応基地局１００−１との距離が最も近いため、移動局１５０において広域対応基地局１００−１から受信された共通パイロット信号が、周辺スクランブリングコード群（ＳＣ＃１１０−１，３，７, ＳＣ＃１３５ａ−１〜２９）のうちのＳＣ＃１００−１で逆拡散されると、逆拡散された結果の電力値が最も大きくなる。  このため、移動局１５０は、当該ＳＣ＃１００−１が割当てられている広域対応基地局１００−１との通信接続を行うこととなる。
【００６３】
これにより、本来、移動局１５０は、自局に最も近い狭域対応基地局１３０−ｎとの通信接続を実行できずに、狭域対応基地局１３０−ｎの次に近い広域対応基地局１００−１との通信接続を行うこととなり、基地局との通信における伝搬損失を増大させる場合がある。
【００６４】
ところが、本実施形態では、移動局１５０は、移動先となり得る狭域セル１３５−ｎに割当てられているＳＣ＃１３５−ｎを固定コード記憶部１６１に記憶している。このため、移動局１５０は、周辺スクランブリングコード群にＳＣ＃１３５−ｎが含まれていなくても、固定コード記憶部１６１に記憶されているＳＣ＃１３５−ｎを用いて、最も近い狭域セル１３５−ｎ（狭域対応基地局１３０−ｎ）との通信接続を実行することができる。
【００６５】
かかる特徴によれば、周辺スクランブリングコード群の中に、移動先のセルに割当てられているスクランブリングコードが含まれていなくても、移動局１５０は、将来的に通信相手となり得る移動先のセル（例えば、家庭用基地局によって形成されるセル）のスクランブリングコードを固定的に記憶することにより、当該移動先となり得るセルとの通信接続を確実に実行することができる。
【００６６】
なお、本発明は、ＣＤＭＡを用いる無線通信システムに限定される分けではなく、ＴＤＭＡを用いる無線通信システムやＦＤＭＡを用いる無線通信システム、無線ＬＡＮシステムにも適用することができる。本発明が無線ＬＡＮシステムに適用される場合には、セル識別情報としてはＳＳＩＤを用いるのが好適である。
【００６７】
以上、本発明の一例を説明したが、具体例を例示したに過ぎず、特に本発明を限定するものではなく、実施形態における具体的構成等は、適宜設計変更可能である。また、実施形態の具体的構成のそれぞれは、組み合わせることが可能である。さらに、実施形態の作用及び効果は、本発明から生じる最も好適な作用及び効果を列挙したに過ぎず、本発明による作用及び効果は、実施形態に記載されたものに限定されるものではない。
【図面の簡単な説明】
【００６８】
【図１】本実施形態に係る無線通信システムの概略構成図である。
【図２】本実施形態に係る移動局の内部構成図である。
【図３】本実施形態に係る周辺コード記憶部及び固定コード記憶部に記憶されているスクランブリングコードを示す図である。
【図４】本実施形態に係る移動局の動作フロー図である。
【図５】本実施形態に係る周辺コード記憶部及び固定コード記憶部に記憶されているスクランブリングコードを示す図である。
【図６】本実施形態に係る周辺コード記憶部及び固定コード記憶部に記憶されているスクランブリングコードを示す図である。
【図７】本実施形態に係る周辺コード記憶部及び固定コード記憶部に記憶されているスクランブリングコードを示す図である。
【符号の説明】
【００６９】
１００…広域対応基地局、１１０…広域セル、１３０…狭域対応基地局、１３５…狭域セル、１５０…移動局、１５１…アンテナ、１５２…切替部、１５３…受信部、１５４…逆拡散部、１５５…復調部、１５６…制御部、１５７…変調部、１５８…拡散部、１５９…送信部、１６０…周辺コード記憶部、１６１…固定コード記憶部、１６２…サーチ処理部
【図１】
0004751762.tif 000002
【図２】
0004751762.tif 000003
【図３】
0004751762.tif 000004
【図４】
0004751762.tif 000005
【図５】
0004751762.tif 000006
【図６】
0004751762.tif 000007
【図７】
0004751762.tif 000008